(57)【特許請求の範囲】
【請求項１】
ゼッケン番号や大会名等を表示するシート状のナンバーカードであって、円形状または長穴状の複数の通気孔が形成されており、前記ナンバーカードの上下方向または左右方向に沿って、表面に対して山折となる折り目が形成されていることを特徴とするナンバーカード。
【請求項２】
競技者の胸腹部または背部の位置に取り付けられてゼッケン番号や大会名等を表示する略矩形シート状のナンバーカードであって、円形状または長穴状の複数の通気孔が形成されているとともに、左右の端縁部には、当該端縁部の上下端近傍位置から中央にかけて内方向に左右幅を狭められたくびれ部が形成されているナンバーカード。
【発明の詳細な説明】
【技術分野】
【０００１】
本発明は、マラソン等のスポーツ大会において、競技者の衣服に取り付けられるゼッケン等のナンバーカードに関し、特に、競技者への身体的負担や精神的負担を軽減しうるナンバーカードに関するものである。
【背景技術】
【０００２】
従来、マラソン等のスポーツ大会では、各競技者を識別するためのゼッケン番号や大会名、大会スポンサー名等を表示するシート状のナンバーカードが使用されている。例えば、特開平２−１６３７５号公報には、競技者のゼッケン番号を表示したシートと、当該ゼッケン番号に対応するコンピュータ入力信号バーコードを表示したバーコード部とを有するランニングレース用ゼッケンが提案されている（特許文献１）。
【０００３】
【特許文献１】特開平２−１６３７５号公報
【発明の開示】
【発明が解決しようとする課題】
【０００４】
しかしながら、上記特許文献１に記載された発明を含め、従来のナンバーカードは、薄くて平らなシート状に形成されているだけであるため、競技者の胸部および背部に全面で密着しやすい。このため、マラソン等のように、当該密着状態が長時間に渡る競技の場合、風通しが悪く、蒸れやすかったり、べたつき感やまとわりつき感を競技者に与え、精神的な負担になったり、体力の消耗を促進させてしまうという問題がある。これは、近年、競技用ウェアが速乾性や吸汗性について改善されてきているにもかかわらず、その機能を低減させる要因になってしまうおそれがある。
【０００５】
また、マラソンランナーの中には、汗をかくほど皮膚呼吸が妨げられる感覚に陥り、疲労感が増すという意見を持つ選手もいる。このため、少しでも汗をかきにくくすること、およびかいた汗を素早く乾燥させることは、特に、マラソンランナーの精神的な疲労感を改善させるための有効な手段として考えられていた。
【０００６】
本発明は、このような問題点を解決するためになされたものであって、競技者の体へ密着するのを防止するとともに通気性を向上し、競技者への精神的負担や身体的負担の軽減に寄与することができるナンバーカードを提供することを目的としている。
【課題を解決するための手段】
【０００７】
本発明に係るナンバーカードの特徴は、ゼッケン番号や大会名等を表示するシート状のナンバーカードであって、円形状または長穴状の複数の通気孔が形成されている点にある。
【０００８】
また、本発明において、上下の端縁部または左右の端縁部のうち、少なくとも一方の端縁部に沿って通気孔よりも長尺な長穴状の通気促進用長穴が形成されていることが好ましい。
【０００９】
さらに、本発明において、前記複数の通気孔が千鳥状に配置されてもよい。
【００１０】
また、本発明において、ゼッケン番号や大会名等を表示する表示部の近傍には、孔径が他の部位に形成される通気孔よりも相対的に小さい小径通気孔が形成されてもよい。
【００１１】
さらに、本発明において、ゼッケン番号や大会名等を表示する表示部には、前記通気孔が形成されていないことが好ましい。
【００１２】
また、本発明に係るナンバーカードの特徴は、ゼッケン番号や大会名等を表示するシート状のナンバーカードであって、複数の通気孔が形成されているとともに、前記ナンバーカードの裏面に凸状部が形成されている点にある。
【００１３】
また、本発明において、前記凸状部は、前記ナンバーカードの表面に形成される複数のディンプルによって裏面に凸状を構成していることが好ましい。
【００１４】
さらに、本発明において、前記各ディンプルは、前記通気孔と前記通気孔との間に形成されていることが好ましい。
【００１５】
また、本発明において、前記凸状部は、前記ナンバーカードの表面の上下方向または左右方向に沿って線状に形成された線状溝によって裏面に凸状線を構成してもよい。
【００１６】
さらに、本発明において、前記ナンバーカードの上下方向または左右方向に沿って、表面に対して山折となる折り目が形成されていてもよい。
【００１７】
また、本発明において、上下の端縁部または左右の端縁部の少なくとも一方には、中心部に向けて前記ナンバーカードの幅を狭くするくびれ部が形成されていてもよい。
【００１８】
さらに、本発明において、前記ナンバーカードには、衣服に取り付けるための取付具を挿通する取付用挿通孔が形成されていることが好ましい。
【発明の効果】
【００１９】
本発明によれば、競技者の体へ密着するのを防止するとともに通気性を向上し、競技者への精神的負担や身体的負担の軽減に寄与することができる。
【発明を実施するための最良の形態】
【００２０】
以下、本発明に係るナンバーカードの各実施形態について図面を用いて説明する。
【００２１】
図１は、本第１実施形態のナンバーカード１Ａを示す正面図であり、図２は、図１の２Ａ−２Ａ線における一部拡大断面図である。
【００２２】
図１および図２に示すように、本第１実施形態のナンバーカード１Ａは、シート状に形成されており、ゼッケン番号、大会名または大会スポンサー名等を示す表示部２を有している。ナンバーカード１Ａの形状は特に限定されず、一般に矩形状に形成されるが、円形状や楕円状に形成してもよい。そして、本第１実施形態では、図１に示すように、ナンバーカード１Ａには、全面にわたって円形状の通気孔３が多数形成されている。これらの通気孔３の数は、通気性の効果が得られれば特に限定されるものではない。
【００２３】
本第１実施形態において、各通気孔３は、空気流を通過しうる同一の孔径に形成されており、図１に示すように、上下左右方向に整列した状態で穿孔されている。なお、本第１実施形態では、通気孔３を円形状に形成しているが、これに限られるものではなく、通気性を確保できるのであれば、楕円等のように短軸と長軸とを有する長穴状や四角形状、三角形状等に形成してもよい。但し、通気孔３の穿孔のし易さを考慮すると円形状乃至長穴状が好ましい。
【００２４】
また、本第１実施形態では、通気性の向上を優先させるため、表示部２を含めた全面にわたって通気孔３を形成しているが、この構成に限られるものではなく、競技規定等によって禁止されている場合や視認性の問題がある場合等には、表示部２を避けて他の部分にのみ通気孔３を形成するようにしてもよい。
【００２５】
なお、通気孔３の孔径は、発明者らの実験によれば、少なくとも２ｍｍ以上に設定することが好ましい。孔径が２ｍｍよりも小さいと、空気流を通過させにくくなるからである。しかしながら、孔径が２ｍｍ以下の極小の通気孔３であっても、多数の通気孔３を密集させてメッシュ調に構成した場合、同等の通気性を確保できるものと考えられる。
【００２６】
また、本第１実施形態では、図１および図２に示すように、ナンバーカード１Ａの左右の端縁部に沿ってより多くの通気量を確保する目的で通気促進用長穴４が形成されている。この通気促進用長穴４の形状は、図１に示すように、通気孔３の孔径と略同幅であって長尺状に形成されており、１つまたは複数を並べて配置される。通気促進用長穴４が形成される位置は、ナンバーカード１Ａの端縁部であって通常、表示部がないから比較的に大きく形成することが可能であり、通気性の効果を高めるために有効に利用できる。特に左右端縁部に形成される通気促進用長穴４は、重力やランナー等の上下の動作によってナンバーカード１Ａを撓み易くし、空気を取り込み易く、また排気し易くする効果が期待できる。なお、通気促進用長穴４は、上下の端縁部に沿って形成してもよく、上下左右の全ての端縁部に沿ってそれぞれ形成してもよい。
【００２７】
また、通常、ナンバーカード１Ａは、例えば安全ピン等の取付具（図示せず）によって衣服に取り付けられる。従来のナンバーカードでは、安全ピンの針で生地に刺し通して孔を開けてから衣服に取り付ける。このとき、意外に好みの位置に上手く孔が開けられず、刺し直したり、苦労することが多い。そこで、本第１実施形態では、図１に示すように、ナンバーカード１Ａの四隅に予め取付具を挿通するための取付用挿通孔５が形成されている。この取付用挿通孔５は独自に開けてもいいが、通気孔３の孔開け工程と同時に開けることが可能であるから特に面倒な作業ではなく、効果的に実用性を高められる。なお、取付用挿通孔５の形成位置は、４隅に限られるものではなく、ナンバーカード１Ａの形状や強度などを考慮して適宜配置すればよい。
【００２８】
本第１実施形態において、ナンバーカード１Ａは、紙素材やプラスチック製フィルム等から構成されており、予めゼッケン番号や大会名等を表示部２に印刷した後、パンチ加工を施している。先に通気孔３を形成してしまうと、表示部２への印刷が困難になってしまうからである。なお、パンチ加工は、例えば、複数枚のナンバーカード１Ａを重ね合わせた状態で、通気孔３、通気促進用長穴４および取付用挿通孔５を一度の工程で同時に穿孔することが可能であり、効率的である。
【００２９】
つぎに、本第１実施形態のナンバーカード１Ａによる作用について図面を用いて説明する。
【００３０】
まず、本第１実施形態のナンバーカード１Ａを装着する場合、競技者は、取付用挿通孔５に安全ピン等の取付具を挿通し、衣服の胸部および背部に係止する。これにより、競技者は、簡単かつ迅速にナンバーカード１Ａを取り付けることができ、手間が省けるとともに、針の刺し位置がずれたりすることがない。
【００３１】
競技者が本第１実施形態のナンバーカード１Ａを装着した状態では、全面に渡って穿孔された各通気孔３を介して裏面と身体の間に空気を通し、ナンバーカード１Ａと競技者との接触面積を低減する。このため、競技者の動作に応じて放熱し易く、ナンバーカード１Ａとの間に熱気がこもりにくい。これにより、競技者の体温上昇の抑制や体力の消耗、疲労蓄積の軽減が図れる。また、風通しが良くなることで汗等の速乾作用が向上し、競技者に悪影響を与えるべたつき感やまとわりつき感等の不快感が解消される。このため、競技者の精神的負担が軽減し、競技中の集中力が向上しうる。
【００３２】
また、本第１実施形態では、多数の通気孔３を形成することによって、ナンバーカード１Ａ自体の伸縮性が向上する。したがって、例えば、ナンバーカード１Ａが斜め方向に引っ張られた状態で競技者の衣服に取り付けてしまっても、競技者に対してそれほど違和感を与えることがない。また、ナンバーカード１Ａを装着した状態で体を激しく動かしても、その動きに追従しやすく、運動の妨げになり難いし、簡単に外れてしまうことがない。
【００３３】
また、本第１実施形態において、左右の通気促進用長穴４が、各通気孔３から取り入れられた外気を左右方向に誘導し、効果的に排気する。このため、各通気孔３から両サイドの通気促進用長穴４にかけて流れる通気が促進され、風通しがより一層向上する。また、左右いずれかの通気促進用長穴４から外気を取り込んで反対側の通気促進用長穴４へ通気させることも可能である。
【００３４】
以上のような本第１実施形態のナンバーカード１Ａによれば、
１．競技者の体へ密着するのを防止して通気性を高め、精神的な負担を軽減できる。
２．競技者の体温上昇を防止し、身体的な負担を軽減することができる。
３．競技者の集中力を高め、競技成績の向上を期待することができる。
４．装着時の違和感を解消するとともに、外れ難くすることができる等の効果を奏する。
【００３５】
つぎに、本発明に係るナンバーカード１Ｂの第２実施形態について説明する。なお、本第２実施形態の構成のうち、上述した第１実施形態の構成と同等または相当する構成については同一の符号を付し、再度の説明を省略する。
【００３６】
図３は、本第２実施形態のナンバーカード１Ｂを示す正面図であり、図４は、図３の４Ａ−４Ａ線における一部拡大断面図である。
【００３７】
本第２実施形態の特徴は、図３および図４に示すように、多数の通気孔３がナンバーカード１Ｂの全面にわたって千鳥状に配置されている点にある。本第２実施形態において、千鳥状とは、図３に示すように、通気孔３を所定方向に直線状に整列させて複数本の通気孔列を形成し、この通気孔列に直交する方向において隣接する各通気孔列を半ピッチずつずらした状態をいう。
【００３８】
なお、千鳥状の配列パターンは、特に限られるものではなく、適宜変更してもよい。例えば、図５（ａ）に示すように、各通気孔３の中心点がなす角度を６０度に設定してもよく、図５（ｂ）に示すように、４５度に設定してもよい。また、図５（ｃ）に示すように、長穴状の通気孔３を千鳥状に形成してもよい。
【００３９】
つぎに、本第２実施形態のナンバーカード１Ｂによる作用について説明する。本第２実施形態のように、通気孔３を千鳥状に形成した場合、第１実施形態の配列と比較して、ナンバーカード１Ｂの表面積に対する通気孔３の総面積の割合（以下、開孔率という）が増大する。
【００４０】
例えば、通気孔３の孔径ＤおよびピッチＰが同一の条件下では、図５（ａ）の千鳥配列による開孔率は、第１実施形態の開孔率の約１．１５倍にまで増大する。また、図５（ｂ）の千鳥配列に形成した場合、第１実施形態の開孔率に比べて２倍の開孔率になる。このように、開孔率が増大するほど、通気性能が向上するとともに、競技者との接触面積が低減する。
【００４１】
さらに、一般的には開孔率を大きくするほど、表示部２の視認性が低下するが、本第２実施形態によれば、千鳥状に形成された通気孔３が、表示部２に印刷された数字や漢字等の視認性や可読性が低下するのを防止する。例えば、第１実施形態のように、「１」や「４」という数字に対し、通気孔３を上下方向に連続して穿孔した場合、孔径の大きさによっては、前記通気孔３が「縦の線」を大きく連続的に除去してしまうため、読みにくくなったり誤認してしまうおそれがある。これに対し、千鳥状に穿孔すれば、通気孔３が適度に散在するため、極端に文字の視認性や可読性が悪くなることを防止できる。
【００４２】
以上のような本第２実施形態のナンバーカード１Ｂによれば、表示部２の視認性や可読性を確保しながら開孔率を増大することができ、上述した第１実施形態の作用効果をより一層向上することができる。
【００４３】
つぎに、本発明に係るナンバーカード１Ｃの第３実施形態について説明する。なお、本第３実施形態の構成のうち、上述した第１、第２実施形態の構成と同等または相当する構成については同一の符号を付し、再度の説明を省略する。
【００４４】
図６は、本第実施形態のナンバーカード１Ｃを示す正面図であり、図７は、図６の６Ａ−６Ａ線における一部拡大断面図である。
【００４５】
本第第３実施形態の特徴は、図６および図７に示すように、表示部２の近傍において、孔径が他の部位に形成される通気孔３よりも相対的に小さい小径通気孔３ａが形成されている点にある。この小径通気孔３ａは、通気性を確保しつつ表示部の視認性や可読性を確保するためのものであり、通気孔３よりも小径に形成されている。
【００４６】
本第３実施形態では、図６に示すように、ゼッケン番号、大会名およびスポンサー名に少しでも重なる位置に形成される通気孔３を全て小径通気孔３ａに置き換えているが、この構成に限られるものではない。例えば、文字サイズの小さい大会名やスポンサー名の近傍においてのみ、小径通気孔３ａを形成してもよいし、文字に重ならない箇所にも小径通気孔３ａを形成するようにしてもよい。また、完全に文字に重なる近傍部分には通気孔３を形成せずに、文字に重ならない近傍部分にのみ小径通気孔３ａを形成するようにしてもよい。
【００４７】
また、小径通気孔３ａの孔径は、１つの寸法に限定されるものではなく、表示部の文字サイズに合わせて孔径を変更するようにしてもよい。例えば、文字サイズが比較的大きいゼッケン番号近傍では大きめの孔径に設定し、文字サイズの小さいスポンサー名近傍では小さめの孔径に設定する等である。さらに第１実施形態と同様、小径通気孔３ａの形状も円形に限定されるものではなく、長穴やひし形等に形成してもよい。
【００４８】
つぎに、本第３実施形態のナンバーカード１Ｃによる作用について説明する。小径通気孔３ａは、孔径が小さい分、通気孔３に比べて通気性が劣る一方、文字を欠損させる面積を低減する。したがって、表示部２の近傍において、小径通気孔３ａを形成することにより、通気レベルは下がるものの必要な通気性を確保しつつ、表示部２に印刷された文字の視認性や可読性が低下するのを防止する。
【００４９】
以上のような本第３実施形態のナンバーカード１Ｃによれば、上述した第１実施形態の作用効果に加えて、表示部２の視認性や可読性の低下を防止することができる。
【００５０】
つぎに、本発明に係るナンバーカード１Ｄの第４実施形態について説明する。なお、本第４実施形態の構成のうち、上述した第１〜第３実施形態の構成と同等または相当する構成については同一の符号を付し、再度の説明を省略する。
【００５１】
図８は、本第４実施形態のナンバーカード１Ｄを示す正面図であり、図９は、図８の９Ａ−９Ａ線における一部拡大断面図である。
【００５２】
図８および図９に示すように、本第４実施形態の特徴は、上述したような通気孔３に加えて、別途、ナンバーカード１Ｄの裏面に凸状部６が形成されている点にある。本第４実施形態において、凸状部６は、ナンバーカード１Ｄの表面に形成される複数のディンプル６ａによって裏面に凸状を構成するようになっている。
【００５３】
各ディンプル６ａは、競技者との接触面積を低減し、通気性を高める役割を果たすものであり、図９に示すように、ナンバーカード１Ｄの表面に円形の凹状に形成されている。なお、本第４実施形態では、図９に示すように、円形状の通気孔３を例示しているが、これに限られるものではなく、上述した長穴状や多角形状であってもよく、通気性を有する孔であればどのような形状であってもよい。
【００５４】
また、本第４実施形態において、各ディンプル６ａは、空気の流れや一定の効果を安定的に発揮させることを考慮して通気孔３と通気孔３との間に規則的に穿孔されているが、これに限定されることなく、不規則的に配列してもよい。さらに、各ディンプル６ａは、略半球状に形成されているが、円錐状や角錐状に形成してもよい。要はナンバーカード１Ｄの裏面側に凸状に形成されていればよい。
【００５５】
また、本第４実施形態では、デザイン性や加工のし易さを考慮して、ナンバーカード１Ｄの表面にディンプル６ａを形成することによって凸状部６を構成しているが、これに限られるものではない。すなわち、ナンバーカード１Ｄの裏面に凸状部６を構成するものであれば、ナンバーカード１Ｄの表面は凹状である必要はなく、例えばナンバーカード１Ｄの裏面に凸状部６を構成しうる物体を別途、固着するようにしてもよい。これは凸状部６を有するシートを重畳させて１枚のナンバーカード１Ｄを構成するようにしてもよいし、別途、単体の凸状体（図示せず）を複数個用意して、ナンバーカード１Ｄの裏面の通気孔３の間に接着することで構成してもよい。
【００５６】
なお、本第４実施形態のナンバーカード１Ｄを製造する場合、シート状の紙素材等に予めゼッケン番号や大会名等を表示部２に印刷した後、ディンプル加工を施すようになっている。このディンプル加工は、例えば、複数枚のナンバーカード１Ｄを重ね合わせた状態で、ディンプル型をプレスすることで実現される。このとき、上述したパンチ加工と同時に加工することが好ましい。
【００５７】
つぎに、本第４実施形態のナンバーカード１Ｄによる作用について説明する。まず、競技者が本第４実施形態のナンバーカード１Ｄを装着すると、図１０に示すように、裏面に凸状を構成する各ディンプル６ａが、その頂部で競技者の衣服と点接触し、裏面全面で密着するのを防止する。このため、従来の面接触するゼッケン等と比べて、競技者との接触面積が著しく小さくなり、体表面にまとわりつきにくく、通気性が向上する。
【００５８】
また、各ディンプル６ａによって、ナンバーカード１Ｄと競技者の衣服との間には、薄い空気層が形成される。従来のナンバーカードであれば、ナンバーカード１Ｄと衣服との間に熱がこもりやすいが、前記空気層によって、空気の流れが生じると、熱気も一緒に抜けやすい。さらに、多数の通気孔３が、ナンバーカード１Ｄの表面から外気を取り入れ、当該空気層から熱気を放散する。これにより、通気性が向上して冷却効果を奏するため、体温の上昇が抑制されるとともに、汗等の速乾作用が向上し、競技者に悪影響を与えるべたつき感やまとわりつき感等の不快感が解消される。このため、競技者の精神的負担が軽減されるとともに、体力の消耗や疲労の蓄積が軽減される。
【００５９】
以上のような本第４実施形態によれば、上述した第１実施形態の作用効果に加えて、ナンバーカード１Ｄが競技者に密着するのを積極的に防止し、競技者が感じる快適性を向上させるとともに、競技者にかかる精神的負担や身体的負担をより一層軽減することができる。
【００６０】
つぎに、本発明に係るナンバーカード１Ｅの第５実施形態について説明する。なお、本第５実施形態の構成のうち、上述した第１〜４実施形態の構成と同等または相当する構成については同一の符号を付し、再度の説明を省略する。
【００６１】
図１１は、本第５実施形態のナンバーカード１Ｅを示す正面図であり、図１２は、図１１の１２Ａ−１２Ａ線における一部拡大断面図である。
【００６２】
本第５実施形態の特徴は、図１１および図１２に示すように、通気孔３がディンプル６ａ内に形成されている点にある。本第５実施形態において、通気孔３は、ディンプル６ａの最大径に対し、約１／３程度の孔径に形成されるのが好ましい。通気孔３の孔径を大きくするほど、ディンプル６ａの頂部が削られて競技者との間に形成される空気層が低減し、上述したようなディンプル６ａによる作用効果が半減してしまうからである。但し、本発明の作用効果がある程度確保できるのであれば、通気孔３の孔径を特に限定するものではない。
【００６３】
つぎに、本第５実施形態のナンバーカード１Ｅによる作用について説明する。競技者が本第５実施形態のナンバーカード１Ｅを装着すると、ディンプル６ａの頂部が競技者の衣服に接触するため、通気孔３は軽く塞がれた状態となる。これにより、上述したディンプル６ａによる密着防止作用や乱流発生作用が奏される。
【００６４】
また、競技者が体を動かしたとき、ナンバーカード１Ｅが揺らめいて競技者の衣服から離れ、通気孔３が開放状態となる。これにより、上述した通気孔３による通気性向上作用や汗の速乾作用が奏される。さらに、ディンプル６ａと通気孔３とが重ねて配置されているため、ナンバーカード１Ｅの美観が過度に損ねられるのを防止する。また、空気の流れをディンプル６ａ内に導いて通気孔３から放出され、なめらかな空気流を生成しうる。
【００６５】
以上のような本第５実施形態によれば、ナンバーカード１Ｅの美観をあまり損ねることなく、上述した第１および第４実施形態の作用効果を得ることができる。また、ディンプル６ａと通気孔３とを同一箇所に形成することができるため、より多数のディンプル６ａと通気孔３とを形成することができる。
【００６６】
つぎに、本発明に係るナンバーカード１Ｆの第６実施形態について説明する。なお、本第６実施形態の構成のうち、上述した第１〜５実施形態の構成と同等または相当する構成については同一の符号を付し、再度の説明を省略する。
【００６７】
図１３は、本第６実施形態のナンバーカード１Ｆを示す正面図であり、図１４は、図１３の１４Ａ−１４Ａ線における一部拡大断面図である。
【００６８】
本第６実施形態の特徴は、図１３および図１４に示すように、ナンバーカード１Ｆの表面に上下方向に沿って線状に形成された線状溝６ｂを有している点にある。この線状溝６ｂは、ディンプル６ａと同様、凸状部６としての一形態であり、図１４に示すように、ナンバーカード１Ｆの裏面に凸状線を構成するようになっている。
【００６９】
なお、本第６実施形態において、線状溝６ｂは、ナンバーカード１Ｆを装着したときのフィット感を考慮して、上下方向に沿って形成しているが、この構成に限られるものではなく、左右方向に沿って形成するようにしてもよいし、曲線状に形成してもよい。また、線状溝６ｂの配置や数も、特に限定されるものではなく、使用用途や競技者の好みに応じて適宜変更してもよい。
【００７０】
つぎに、本第６実施形態のナンバーカード１Ｆによる作用について説明する。まず、競技者が本第６実施形態のナンバーカード１Ｆを装着すると、裏面に凸状線を構成する各線状溝６ｂが、その頂部で競技者の衣服と線接触し、裏面全面で密着するのを防止する。このため、従来の面接触するゼッケン等と比べて、競技者との接触面積が小さくなり、まとわりつきにくく、通気性が向上する。
【００７１】
また、各線状溝６ｂによって、ナンバーカード１Ｆと競技者の衣服との間には、薄い空気層が形成される。そして、各通気孔３が、ナンバーカード１Ｆの表面から当該空気層内へ外気を取り入れ、熱気を放散する。したがって、上述したディンプル６ａとほぼ同様の作用を奏する。すなわち、通気性を向上して冷却作用を高め、体温の上昇を抑制するとともに、汗等の速乾作用を促進する。このため、べたつき感やまとわりつき感等の不快感が解消され、競技者の精神的負担や身体的負担が軽減される。
【００７２】
また、上下方向に沿って形成された線状溝６ｂは、競技者の体の曲線ライン、つまり丸みに沿ってナンバーカード１Ｆを柔軟に変形させ易くする。このため、様々な体型の競技者に対しても、違和感なくフィットさせられる。一方、線状溝６ｂの長手方向に対する曲げ強度は、増大する。
【００７３】
以上のような本第６実施形態によれば、上述した第１実施形態の作用効果に加えて、競技者による装着感を考慮しつつ、ナンバーカード１Ｆが競技者に密着するのを積極的に防止し、競技者にかかる精神的負担や身体的負担をより一層軽減することができる。
【００７４】
つぎに、本発明に係るナンバーカード１Ｇの第７実施形態について説明する。なお、本第７実施形態の構成のうち、上述した第１〜６実施形態の構成と同等または相当する構成については同一の符号を付し、再度の説明を省略する。
【００７５】
図１５は、本第７実施形態のナンバーカード１Ｇを示す正面図であり、図１６は、図１５の１６Ａ−１６Ａ線における断面図である。
【００７６】
本第７実施形態の特徴は、図１５および図１６に示すように、ナンバーカード１Ｇの上下方向に沿って、折り目７を有している点にある。この折り目７は、図１６に示すように、ナンバーカード１Ｆの表面に対して山折りとなるように形成されている。
【００７７】
なお、本第７実施形態において、折り目７は、ナンバーカード１Ｇを装着したときのフィット感を考慮して、左右方向における略中央位置に上下方向に沿って形成しているが、この構成に限られるものではなく、左右方向に沿って形成するようにしてもよい。また、折り目７の配置や数も、使用用途や競技者の好みに応じて適宜変更するようにしてもよい。
【００７８】
つぎに、本第７実施形態のナンバーカード１Ｇによる作用について説明する。
【００７９】
まず、競技者が本第７実施形態のナンバーカード１Ｇを装着すると、表面に山折りの折り目７が、競技者の衣服から離隔し、裏面全面で密着するのを防止する。このため、従来の面接触するゼッケン等と比べて、競技者との接触面積が小さくなり、まとわりつきにくく、通気性が向上する。
【００８０】
また、折り目７によって、ナンバーカード１Ｇと競技者の衣服との間には、空間が形成される。そして、各通気孔３が、ナンバーカード１Ｇの表面から当該空間内へ外気を取り入れ、熱気を放散する。したがって、上述したディンプル６ａや線状溝６ｂとほぼ同様の作用を奏する。すなわち、通気性を向上して冷却作用を高め、体温の上昇を抑制するとともに、汗等の速乾作用を促進する。このため、べたつき感やまとわりつき感等の不快感が解消され、競技者の精神的負担や身体的負担が軽減される。
【００８１】
また、折り目７は、加工も容易であり、競技者の体のラインに対しても無理なくナンバーカード１Ｇをフィットさせる。
【００８２】
以上のような本第７実施形態のナンバーカード１Ｇによれば、上述した第１実施形態の作用効果に加えて、競技者による装着感を考慮しつつ、ナンバーカード１Ｇが競技者に密着するのを積極的に防止し、競技者にかかる精神的負担や身体的負担をより一層軽減することができる。
【００８３】
つぎに、本発明に係るナンバーカード１Ｈの第８実施形態について説明する。なお、本第８実施形態の構成のうち、上述した第１〜７実施形態の構成と同等または相当する構成については同一の符号を付し、再度の説明を省略する。
【００８４】
図１７は、本第８実施形態のナンバーカード１Ｈを示す正面図である。図１７に示すように、本第実施形態の特徴は、左右の端縁部にくびれ部８が形成されている点にある。
【００８５】
本第８実施形態において、くびれ部８は、左右の端縁部から中心部に向けてナンバーカード１Ｈの幅を狭くするように凹状に形成されている。なお、くびれ部８の配置は、この構成に限られるものではなく、図１８に示すように、上下の端縁部から中心部に向けて凹状に形成してもよい。また、上下左右の全ての端縁部にくびれ部８を形成するようにしてもよい。
【００８６】
また、くびれ部８の形状は、本第８実施形態のように直線的なものではなく、円弧等の曲線状に形成してもよい。さらに、くびれ部８を形成することで鋭利になった角部等には、面取り加工を施し、不慮の怪我を防止するようにしてもよい。
【００８７】
つぎに、本第８実施形態のナンバーカード１Ｈによる作用について説明する。
【００８８】
本第８実施形態では、くびれ部８が、ナンバーカード１Ｈの総面積を低減するため、競技者との接触面積を低減する。このため、競技者に悪影響を与える要因が根本から低減され、くびれ部８のないゼッケン等と比べて、まとわりつきにくく通気性がよい。
【００８９】
また、従来、細身の女性や体の小さい子供が使用する場合、ナンバーカードの左右端部に腕が擦れて邪魔であった。特にマラソン等のように長時間腕を振り続ける競技では、擦り傷になることもあった。このような問題に対し、本第８実施形態では、くびれ部８によってナンバーカード１Ｈをスリム化し、腕がナンバーカード１Ｈの左右両端で擦れてしまうのを防止する工夫を施した。さらに、本第８実施形態のナンバーカード１Ｈのくびれ部８が錯視効果を奏するため、ボディのウエストラインを細く美しく見せたり、逆三角形の体型に見せることが可能となり、女性競技者やアスリートに好適である。
【００９０】
一方、図１８に示すように、くびれ部８を上下の端縁部に形成した場合、最もくびれた部分を中央に配置することで、ナンバーカード１Ｈを競技者の衣服に装着する際の目印となる。すなわち、くびれ部８を左右方向における略中間位置に形成することにより、センターの位置合わせが容易になり、ナンバーカード１Ｈを衣服の中心位置に合わせて迅速かつ綺麗に取り付けられる。
【００９１】
以上のような本第８実施形態のナンバーカード１Ｈによれば、上述した第１実施形態の作用効果に加え、ナンバーカード１Ｈの総面積を低減し、競技者への負担軽減作用をより一層向上するとともに、特に子供や細身の女性らにとって競技の邪魔にならず、実用的機能を兼ね備えたナンバーカード１Ｈを提供することができる。
【実施例１】
【００９２】
『ナンバーカードが競技者へ与える影響の測定実験』
つぎに、本発明に係るナンバーカードの具体的実施例について説明する。本実施例１では、本第４実施形態に相当するナンバーカードが実際に競技者へ与える影響を測定する実験を行った。なお、本実験は、北海道立工業試験場の協力を頂き、実験の測定、解析および検討を行った。
【００９３】
具体的には、図１９に示すように、可能な限り実施例と比較例との実験条件の同一性を担保するために、右上半身には本実施例１として通気孔３およびディンプル６ａを有するナンバーカードを装着し、左上半身には比較例として通気孔３およびディンプル６ａのないナンバーカードを装着した。各ナンバーカードとしては、２０ｃｍ×２４ｃｍのシータス素材（ダイニック株式会社製）を使用した。また、本実施例１のナンバーカードには、孔径が８ｍｍの通気孔３を縦１５個×横９個形成し、径が約８ｍｍのディンプル６ａを１６×１０個形成した。
【００９４】
以上において、各ナンバーカードを装着した被験者に対し、右上半身（本実施例１）および左上半身（比較例）のそれぞれに温湿センサを取り付けた。そして、被験者がトレッドミルマシーン上を１５分間走行する間、温度および湿度を１０秒ごとに測定した。その結果を図２０から図２２に示す。また、走行後、被験者の体表面をサーモグラフィーカメラで撮影した画像を図２３に示す。なお、実験時の室内温度は２７．２℃であり、湿度は１４％であった。また、温湿センサとしては、株式会社ティアンドデイの温湿度データロガー（TR-72U）を使用した。
【００９５】
本実施例１において、図２０は、温湿センサをシャツと肌の間に取り付けた場合、図２１は、温湿センサをナンバーカードとシャツの間に取り付けた場合、および図２２は、温湿センサをナンバーカードと肌の間に取り付けた場合の測定結果である。
【００９６】
図２０から図２２に示すように、いずれの場合においても、通気孔３およびディンプル６ａのないナンバーカード（比較例）に比べて、本実施例１によるナンバーカードでは、温度および湿度の双方に低くなる傾向が示された。特に、湿度については、平均値で１０〜２５％程度も低い値を示し、通気性の高さが実証された。また、図２３に示すように、走行後の被験者の体表面温度は、比較例に相当する左上半身の温度に比較して、本実施例１に相当する右上半身の温度は約２〜３℃低くなっており、冷却作用が確認された。
【００９７】
以上のような本実施例１によれば、通気孔３およびディンプル６ａを有するナンバーカードは、高い通気性を有して乾燥状態を維持するとともに、競技者との間に熱をこもらせない作用効果があることが示された。
【実施例２】
【００９８】
『ナンバーカードの速乾性を測定する実験』
本実施例２では、本発明に係るナンバーカードによる速乾性を測定する実験を行った。なお、本実験においても北海道立工業試験場の協力を頂き、実験の測定、解析および検討を行った。
【００９９】
具体的には、通気孔３のみをを有するナンバーカードと、通気孔３およびディンプル６ａを有するナンバーカードとを用意した。なお、ナンバーカードのサイズや素材、および通気孔３やディンプル６ａの数・径は、実施例１と同様である。
【０１００】
以上において、図２４に示すように、垂直固定した透明アクリル板に濡れた布を被覆し、その布の表面に上記の各ナンバーカードを固定した。また、布の裏面の略中央位置には、実施例１で用いたものと同様の温湿センサを固定した。そして、約１．５ｍ離れた位置に送風機を配置し、風速約２．７７ｍ／ｓの風をあてながら約４０分間に渡って温度および湿度を１０秒ごとに測定した。
【０１０１】
本実施例２の結果を図２５および図２６に示す。また、送風開始後、１１分後、３２分後、３５分後および４０分後において、各ナンバーカードをサーモグラフィーカメラで撮影した画像を図２７および図２８に示す。なお、送風機としては、B-Air Blowers社製の「Big Bear Vortex, 115V」を使用した。また、送風量は、マラソンのトップランナーが１ｋｍを３〜４分で走行することを考慮して設定した。
【０１０２】
図２５および図２６に示すように、いずれのナンバーカードについても、温度および湿度の変化にあまり差異は認められなかった。ただし、湿度については、いずれの場合にも、送風開始後、約３０〜３５分くらいで急激に低下する傾向が示された。この点は、図２７および図２８のサーモグラフィー画像からも確認できる。
【０１０３】
ただし、図２７（ｂ）および図２８（ｂ）からわかるように、通気孔３のみのナンバーカードよりも、ディンプル６ａを兼備するナンバーカードの方が、上半分における乾燥状態がより進行しており、より速乾性に優れている。なお、本実施例２ではアクリル板に固定した状態であるため、競技者の動きに応じた通気性が加味されていないことから、水の重みで下方の乾燥が遅れたものと考えられる。また、乾燥は乾きはじめまでに相当な時間がかかるが、乾き始めると次々に乾燥が進行する。したがって、競技者の動作が加わる実際の競技下では、より乾燥の効果が早く現れ、高い乾燥効果が期待できる。
【０１０４】
以上のような本実施例２によれば、通気孔３のみをを有するナンバーカードと、通気孔３およびディンプル６ａを有するナンバーカードの双方につき、速乾性が確認された。また、通気孔３のみのナンバーカードよりも、ディンプル６ａを兼備するナンバーカードの方が、速乾性に優れていることが確認された。
【０１０５】
本発明に係るナンバーカード１Ａ〜１Ｈは、前述した各実施形態に限定されるものではなく、適宜変更することができる。例えば、通気孔３およびディンプル６ａの数、形状、間隔等は、上述した各実施形態に限られるものではなく、使用用途や競技者の希望に合わせて適宜増減してもよい。
【０１０６】
また、上述した各実施形態では、通気孔３およびディンプル６ａを表示部２を含めた全面に渡って形成しているが、この構成に限られるものではなく、競技規定によって禁止されている場合や大会運営者あるいはスポンサー等の意向によっては、図２９に示すように、ナンバーカード１Ｉの表示部２を避けて通気孔３およびディンプル６ａを形成すればよい。
【図面の簡単な説明】
【０１０７】
【図１】本発明に係るナンバーカードの第１実施形態を示す正面図である。
【図２】図１の２Ａ−２Ａ線における一部拡大断面図である。
【図３】本発明に係るナンバーカードの第２実施形態を示す正面図である。
【図４】図３の４Ａ−４Ａ線における一部拡大断面図である。
【図５】本第２実施形態において、他の千鳥配列パターンを示す図である。
【図６】本発明に係るナンバーカードの第３実施形態を示す正面図である。
【図７】図６の７Ａ−７Ａ線における一部拡大断面図である。
【図８】本発明に係るナンバーカードの第４実施形態を示す正面図である。
【図９】図８の９Ａ−９Ａ線における一部拡大断面図である。
【図１０】本第４実施形態のナンバーカードの装着状態を示す図である。
【図１１】本発明に係るナンバーカードの第５実施形態を示す正面図である。
【図１２】図１１の１２Ａ−１２Ａ線における一部拡大断面図である。
【図１３】本発明に係るナンバーカードの第６実施形態を示す正面図である。
【図１４】図１３の１４Ａ−１４Ａ線における一部拡大断面図である。
【図１５】本発明に係るナンバーカードの第７実施形態を示す正面図である。
【図１６】図１５の１６Ａ−１６Ａ線における断面図である。
【図１７】本発明に係るナンバーカードの第８実施形態を示す正面図である。
【図１８】第８実施形態の他の実施形態を示す正面図である。
【図１９】本実施例１で使用したナンバーカードを示す画像である。
【図２０】本実施例１において、温湿センサをシャツと肌の間に取り付けた場合の測定結果を示すグラフである。
【図２１】本実施例１において、温湿センサをナンバーカードとシャツの間に取り付けた場合の測定結果を示すグラフである。
【図２２】本実施例１において、温湿センサをナンバーカードと肌の間に取り付けた場合の測定結果を示すグラフである。
【図２３】本実施例１において、走行後の被験者の体表面を撮影したサーモグラフィー画像である。
【図２４】本実施例２において、ナンバーカードの実験状態を示す画像である。
【図２５】本実施例２において、通気孔のみを有するナンバーカードの測定結果を示すグラフである。
【図２６】本実施例２において、通気孔およびディンプルを有するナンバーカードの測定結果を示すグラフである。
【図２７】本実施例２において、通気孔のみを有するナンバーカードを撮影したサーモグラフィー画像である。
【図２８】本実施例２において、通気孔およびディンプルを有するナンバーカードを撮影したサーモグラフィー画像である。
【図２９】本発明に係るナンバーカードの他の実施形態を示す正面図である。
【符号の説明】
【０１０８】
１Ａ，１Ｂ，１Ｃ，１Ｄ，１Ｅ，１Ｆ，１Ｇ，１Ｈ，１Ｉ  ナンバーカード
２  表示部
３  通気孔
３ａ  小径通気孔
４  通気促進用長穴
５  取付用挿通孔
６  凸状部
６ａ  ディンプル
６ｂ  線状溝
７  折り目
８  くびれ部
【要約】
【課題】  競技者の体へ密着するのを防止するとともに通気性を向上し、競技者への精神的負担や身体的負担の軽減に寄与することができるナンバーカードを提供する。
【解決手段】  本発明に係るナンバーカード１Ａは、ゼッケン番号や大会名等を表示するシート状のナンバーカード１Ａであって、円形状または長穴状の複数の通気孔３が形成されている。また、本発明に係るナンバーカード１Ｄは、複数の通気孔３が形成されているとともに、ナンバーカード１Ｄの裏面に凸状部６が形成されている。
【選択図】  図１【図１】
0004288298.tif 000002
【図２】
0004288298.tif 000003
【図３】
0004288298.tif 000004
【図４】
0004288298.tif 000005
【図５】
0004288298.tif 000006
【図６】
0004288298.tif 000007
【図７】
0004288298.tif 000008
【図９】
0004288298.tif 000009
【図１２】
0004288298.tif 000010
【図１３】
0004288298.tif 000011
【図１４】
0004288298.tif 000012
【図１５】
0004288298.tif 000013
【図１６】
0004288298.tif 000014
【図１７】
0004288298.tif 000015
【図１８】
0004288298.tif 000016
【図２０】
0004288298.tif 000017
【図２１】
0004288298.tif 000018
【図２２】
0004288298.tif 000019
【図２５】
0004288298.tif 000020
【図２６】
0004288298.tif 000021
【図２９】
0004288298.tif 000022
【図８】
0004288298.tif 000023
【図１０】
0004288298.tif 000024
【図１１】
0004288298.tif 000025
【図１９】
0004288298.tif 000026
【図２３】
0004288298.tif 000027
【図２４】
0004288298.tif 000028
【図２７】
0004288298.tif 000029
【図２８】
0004288298.tif 000030